(57)【要約】    【課題】  伸縮可能なダクトを有し、未使用時にはコンパクトに収納され、使用時には伸長して効果的に煙等を捕集し、更に意匠性に優れるレンジフードを提供する。    【解決手段】  排煙装置２０に連通する伸縮可能な昇降ダクト７と、該昇降ダクトの周囲を覆う伸縮可能な昇降装置カバー５と、前記昇降ダクトの下端部と前記昇降装置カバーの下端部に取付けられたフード１２と、屈撓自在な作動伝達部材１１を介して昇降させる昇降駆動装置９とを具備し、前記昇降ダクト、前記昇降装置カバー、前記フードは少なくとも下端が密閉された空間を形成し、前記作動伝達部材は前記空間に収納され前記昇降ダクト、前記昇降カバー、前記フードの少なくとも１つに連結された。    【選択図】          図１
2005055126.tif 000002
【特許請求の範囲】
【請求項１】
排煙装置に連通する伸縮可能な昇降ダクトと、該昇降ダクトの周囲を覆う伸縮可能な昇降装置カバーと、前記昇降ダクトの下端部と前記昇降装置カバーの下端部に取付けられたフードと、屈撓自在な作動伝達部材を介して昇降させる昇降駆動装置とを具備し、前記昇降ダクト、前記昇降装置カバー、前記フードは少なくとも下端が密閉された空間を形成し、前記作動伝達部材は前記空間に収納され前記昇降ダクト、前記昇降カバー、前記フードの少なくとも１つに連結されたことを特徴とするレンジフード。
【請求項２】
前記昇降駆動装置は一体に回転する巻胴を有し、該巻胴に巻付けられた少なくとも３本の作動伝達部材が前記昇降ダクト、前記昇降カバー、前記フードの少なくとも１つに連結された請求項１のレンジフード。
【請求項３】
前記巻胴は建屋の天井側に設けられ、前記作動伝達部材は４本のロープであり、天井側に設けられたプーリを介して垂下し、前記昇降装置カバー又は前記昇降ダクトの下端部に係着された請求項２のレンジフード。
【請求項４】
前記４本のロープの内２本ずつはターンバックルにより連結され、長さ調整が可能である請求項３のレンジフード。
【請求項５】
前記昇降装置カバーは入れ子式に嵌合する複数段の筒体で構成され、上段の筒体と下段の筒体との重合部分はガイドローラによりガイドされる様にした請求項１のレンジフード。
【請求項６】
前記フードは、前記昇降装置カバー、前記昇降ダクトに対して着脱可能であり、該昇降ダクトは前記排煙装置に対して着脱可能であり、前記作動伝達部材は前記昇降装置カバーに係着され、該昇降装置カバーは前記フードを取外した状態で単独で昇降可能である請求項１のレンジフード。
【発明の詳細な説明】
【技術分野】
【０００１】
本発明は調理時の油煙、水蒸気等を排出するレンジフードに関するものである。
【背景技術】
【０００２】
従来より台所のレンジ上方には、調理時の煙、水蒸気等を捕集して屋外に排出する為のレンジフードが設けられている。
【０００３】
一般に、レンジフードは調理者の作業を妨げない様にレンジの上方に所要の空間が形成される様に設けられている。この為、多量の煙等が発生した場合、全ての煙等が捕集されず、溢れた煙等が室内に籠り、室内に臭気が残り、或は煙に含まれるオイルミストで室内が汚れるという問題があった。
【０００４】
斯かる問題を解決する為、レンジフードが伸縮可能なダクトを有し、調理時にはレンジフードの煙捕集口を、レンジ近傍に近づけ、効果的に煙、水蒸気を捕集するものがある。例えば特許文献１ではテーブル上で調理した際の油煙や水蒸気を効率よく吸引排気する換気装置が示され、図８に示される様に該換気装置は、下端に吸気部６１を有し、上下に伸縮自在な伸縮管（ダクト）６２と該伸縮管６２の下端に連結されたパンタグラフ式の伸縮部６３、前記吸気部６１に係着されたロープ６４を巻取り、繰出すことで前記伸縮管６２を伸縮させる巻取り機６５を有し、又前記伸縮管６２は本体ケース６６の内部に収納可能となっており、該本体ケース６６は下端に観音開き式に設けられた開閉扉６７を有し、該開閉扉６７は前記ロープ６４が縮短されて前記本体ケース６６に収納された状態で該本体ケース６６の下端開口部を閉鎖する様になっている。
【０００５】
上記特許文献１では、前記伸縮管６２が前記本体ケース６６の下端より露出して延出する構造となっているので、前記伸縮管６２の伸長時には前記伸縮部６３も露出していることとなり、外観を損う。
【０００６】
又前記吸気部６１から溢れた煙等は露出した前記伸縮管６２、或は前記伸縮部６３を汚し、或は前記本体ケース６６の内部に充満し、該本体ケース６６の内部、前記伸縮部６３、前記巻取り機６５等を汚すことになる。
【０００７】
更に、機構が複雑であるので、前記伸縮管６２、前記伸縮部６３等を清掃する場合の作業性が煩雑で、多くの労力を要するという問題があった。
【０００８】
【特許文献１】特開２００１−３４９５９３号公報
【発明の開示】
【発明が解決しようとする課題】
【０００９】
本発明は斯かる実情に鑑み、伸縮可能なダクトを有し、未使用時にはコンパクトに収納され、使用時には伸長して効果的に煙等を捕集し、更に意匠性に優れるレンジフードを提供するものである。
【課題を解決するための手段】
【００１０】
本発明は、排煙装置に連通する伸縮可能な昇降ダクトと、該昇降ダクトの周囲を覆う伸縮可能な昇降装置カバーと、前記昇降ダクトの下端部と前記昇降装置カバーの下端部に取付けられたフードと、屈撓自在な作動伝達部材を介して昇降させる昇降駆動装置とを具備し、前記昇降ダクト、前記昇降装置カバー、前記フードは少なくとも下端が密閉された空間を形成し、前記作動伝達部材は前記空間に収納され前記昇降ダクト、前記昇降カバー、前記フードの少なくとも１つに連結されたレンジフードに係り、又前記昇降駆動装置は一体に回転する巻胴を有し、該巻胴に巻付けられた少なくとも３本の作動伝達部材が前記昇降ダクト、前記昇降カバー、前記フードの少なくとも１つに連結されたレンジフードに係り、又前記巻胴は建屋の天井側に設けられ、前記作動伝達部材は４本のロープであり、天井側に設けられたプーリを介して垂下し、前記昇降装置カバー又は前記昇降ダクトの下端部に係着されたレンジフードに係り、又前記４本のロープの内２本ずつはターンバックルにより連結され、長さ調整が可能であるレンジフードに係り、又前記昇降装置カバーは入れ子式に嵌合する複数段の筒体で構成され、上段の筒体と下段の筒体との重合部分はガイドローラによりガイドされる様にしたレンジフードに係り、更に又前記フードは、前記昇降装置カバー、前記昇降ダクトに対して着脱可能であり、該昇降ダクトは前記排煙装置に対して着脱可能であり、前記作動伝達部材は前記昇降装置カバーに係着され、該昇降装置カバーは前記フードを取外した状態で単独で昇降可能であるレンジフードに係るものである。
【発明の効果】
【００１１】
本発明によれば、排煙装置に連通する伸縮可能な昇降ダクトと、該昇降ダクトの周囲を覆う伸縮可能な昇降装置カバーと、前記昇降ダクトの下端部と前記昇降装置カバーの下端部に取付けられたフードと、屈撓自在な作動伝達部材を介して昇降させる昇降駆動装置とを具備し、前記昇降ダクト、前記昇降装置カバー、前記フードは少なくとも下端が密閉された空間を形成し、前記作動伝達部材は前記空間に収納され前記昇降ダクト、前記昇降カバー、前記フードの少なくとも１つに連結されたので、昇降装置は調理時に発生する煙等から隔離されており、油等で汚れることがなく、保守作業が容易になる。又、外部から昇降装置が見えないので、意匠性が向上する。
【００１２】
又、前記昇降駆動装置は一体に回転する巻胴を有し、該巻胴に巻付けられた少なくとも３本の作動伝達部材が前記昇降ダクト、前記昇降カバー、前記フードの少なくとも１つに連結されたので、昇降動作の完全な同期がとれ、円滑な昇降を行うことができる。
【００１３】
又、前記巻胴は建屋の天井側に設けられ、前記作動伝達部材は４本のロープであり、天井側に設けられたプーリを介して垂下し、前記昇降装置カバー又は前記昇降ダクトの下端部に係着され、又前記４本のロープの内２本ずつはターンバックルにより連結され、長さ調整が可能であるので、２つのターンバックルで４本のロープの長さ調整が可能であり、調整作業が簡単になる。
【００１４】
又、前記昇降装置カバーは入れ子式に嵌合する複数段の筒体で構成され、上段の筒体と下段の筒体との重合部分はガイドローラによりガイドされる様にしたので、昇降装置カバーの伸縮動作が円滑に行われる。
【００１５】
更に又、前記フードは、前記昇降装置カバー、前記昇降ダクトに対して着脱可能であり、該昇降ダクトは前記排煙装置に対して着脱可能であり、前記作動伝達部材は前記昇降装置カバーに係着され、該昇降装置カバーは前記フードを取外した状態で単独で昇降可能であるので、前記フードを取外し、昇降装置カバーのみを上昇させれば昇降ダクトが取外し可能となり、昇降ダクトの清浄が簡単に行える等の優れた効果を発揮する。
【発明を実施するための最良の形態】
【００１６】
以下、図面を参照しつつ本発明を実施する為の最良の形態を説明する。
【００１７】
図１、図２に於いて、１は天井板、２は建屋躯体の天井を示している。
【００１８】
該天井２にベース板３が螺子等により取付けられ、該ベース板３は中央部に欠切部４が形成された略凹形状をしている。該欠切部４の中心と同心となる様に昇降装置カバー５が前記ベース板３に固定されている。前記昇降装置カバー５は下方に向って伸縮可能であり、複数段の筒体６が竹の子状の入れ子式になっている。又、前記昇降装置カバー５の内部に同心に昇降ダクト７が設けられており、該昇降ダクト７も前記昇降装置カバー５と同様下方に向って伸縮可能であり、複数段の筒体８が竹の子状の入れ子式になっている。
【００１９】
前記ベース板３には昇降駆動装置９が取付けられている。該昇降駆動装置９はロープ、ベルト、チェーン等の屈撓自在な作動伝達部材を繰出し、巻取ることで昇降作動を行う様になっている。例えば、ロープ１１の先端が前記昇降装置カバー５の最下段の筒体６に係着され、前記ロープ１１を繰出すことで、前記昇降装置カバー５は自重で降下し、前記ロープ１１を巻取ることで前記昇降装置カバー５が引上げられる様になっている。
【００２０】
該昇降装置カバー５の下端及び前記昇降ダクト７の下端にはフード１２が取付けられ、前記昇降装置カバー５、前記昇降ダクト７、前記フード１２により少なくとも下端部が密閉された筒状の空間５３（図３参照）が形成される。前記昇降ダクト７の下端は前記フード１２を介して前記昇降装置カバー５の下端に連結されるので、該昇降装置カバー５が昇降されることで、該昇降装置カバー５と一体に前記昇降ダクト７が昇降する様になっている。前記フード１２はレンジ（図示せず）と同心となっており、降下状態で調理時に発生する煙等を充分に捕集できる大きさとなっている。
【００２１】
前記欠切部４に位置する様に、排煙チャンバ１３が前記天井２に取付けられ、前記昇降ダクト７の上端は前記排煙チャンバ１３に取付けられる。該排煙チャンバ１３の下面は排気捕集口が開口されており、該排気捕集口を介して前記排煙チャンバ１３と前記昇降ダクト７とは連通している。前記排煙チャンバ１３には導風ダクト１４を介して排煙ブロア１５が連通され、該排煙ブロア１５の排煙孔１６は図示しない排出ダクトを介して屋外に連通している。前記排煙チャンバ１３、前記排煙ブロア１５、排気ダクト（図示せず）等は排煙装置２０を構成し、該排煙装置２０はレンジフードの設置状態によって構成配置は適宜変更される。
【００２２】
前記天井板１には、前記昇降装置カバー５と同心に収納凹部１７が形成され、該収納凹部１７は前記フード１２と略相似形であり、該フード１２を収納可能となっている。
【００２３】
而して、前記昇降装置カバー５を完全に上昇させた状態では、前記フード１２が前記収納凹部１７に収納され、前記フード１２が前記天井板１より下方に突出しない様になっている。
【００２４】
次に、図３、図４により、前記昇降装置カバー５、前記昇降ダクト７、前記昇降駆動装置９について説明する。
【００２５】
尚、図３、図４では前記フード１２を省略して示している。
【００２６】
先ず、前記昇降装置カバー５について説明する。
【００２７】
該昇降装置カバー５の最上段の上段筒体６ａの上端外側にはアングル部材１９が固着され、該アングル部材１９と前記ベース板３とがボルト２１によって連結され、該ボルト２１と前記ベース板３とは固定ナット２２によって固定され、前記ボルト２１と前記アングル部材１９とは固定ナット２３によって固定されている。前記上段筒体６ａは前記ボルト２１を介して前記ベース板３に支持され、前記固定ナット２２又は前記固定ナット２３によって上下方向の位置が調整できる様になっている。
【００２８】
前記上段筒体６ａに中間筒体６ｂ，６ｃが順次入れ子式に出入り自在に嵌合し、又前記中間筒体６ｃに下段筒体６ｄが入れ子式に出入り自在に嵌合している。
【００２９】
前記上段筒体６ａ、前記中間筒体６ｂ，６ｃの下端にはそれぞれ内側に向って突出する下端縁部２４が形成され、該下端縁部２４の上面にゴム等高弾性材料の下緩衝材２５が固着されている。前記下段筒体６ｄの下端内側にはアングルの枠材２６が固着されている。該枠材２６はボルト等の着脱可能な固着手段５１によって前記フード１２に固定される（図５参照）。
【００３０】
前記中間筒体６ｂ，６ｃ、前記下段筒体６ｄの上端外側には上端縁部２７が設けられ、該上端縁部２７は下段側の筒体の前記下端縁部２４に前記下緩衝材２５を介して当接する様になっている。尚、前記下緩衝材２５は前記上端縁部２７の下面に固着してもよい。
【００３１】
各上端縁部２７の上側にガイドローラ２８が回転自在に設けられ、該ガイドローラ２８は上段側の筒体６の内面に当接している。又、前記ガイドローラ２８は下段の筒体６が上段の筒体６に対して水平２方向のガタ付を抑止する様に配設され、図４に示される様に前記筒体６の断面形状が矩形であると、各面に対して１個宛、少なくとも４個、又前記筒体６の断面形状が円形である場合は少なくとも３個のガイドローラ２８が設けられる。
【００３２】
前記中間筒体６ｂ，６ｃの上端部内側には、ストッパ部材４８が取付けられ、該ストッパ部材４８の下面には緩衝部材４９が取付けられている。尚、前記ストッパ部材４８、前記緩衝部材４９は前記ガイドローラ２８と干渉しない様な形状、位置となっている。下段の筒体６が上昇すると、前記上端縁部２７が前記緩衝部材４９を介して前記ストッパ部材４８に当接する様になっている。
【００３３】
前記昇降ダクト７について説明する。
【００３４】
上段筒体８ａの上端にフランジ部２９が設けられ、該フランジ部２９はボルト等の着脱可能な固着手段３０によって前記排煙チャンバ１３に取付けられる。
【００３５】
前記上段筒体８ａに中間筒体８ｂ，８ｃが順次入れ子式に出入り自在に嵌合し、又前記中間筒体８ｃに下段筒体８ｄが入れ子式に出入り自在に嵌合している。
【００３６】
前記上段筒体８ａ、前記中間筒体８ｂ，８ｃの下端にはそれぞれ内側に向って突出する下端縁部３１が形成され、該下端縁部３１の上面にゴム等高弾性材料の下緩衝材３２が固着されている。前記下段筒体８ｄの下端内側には内フランジ部３３が形成され、該内フランジ部３３はボルト等の着脱可能な固着手段５２によって前記フード１２に固定される（図５参照）。
【００３７】
前記中間筒体８ｂ，８ｃ、前記下段筒体８ｄの上端には上フランジ部３４が設けられ、該上フランジ部３４の下側には摺動抵抗の少ない部材から成る摺接部材３５が固着され、該摺接部材３５は上段側の筒体８の内面に摺接している。前記摺接部材３５は下段側の筒体８の前記下端縁部３１に前記下緩衝材３２を介して当接する様になっている。尚、該下緩衝材３２は前記摺接部材３５の下面に固着してもよく、或は該摺接部材３５に緩衝機能がある場合は、前記下緩衝材３２は省略してもよい。
【００３８】
而して、前記上段筒体８ａ、前記中間筒体８ｂ，８ｃ、前記下段筒体８ｄは、それぞれ略気密状態で伸縮自在に連結されており、又、下段側の筒体８と上段側の筒体８とは伸縮方向にのみ係合するので、下段側の筒体８は上段側の筒体８に対して上方に引抜くことができる様になっている。
【００３９】
前記筒体８の内面は、滑り抵抗の少ない材質、オイルミスト等が付着し難い材質、汚れを落しやすい材質が好ましく、或は斯かる材質を前記筒体８の内面にコーティングしてもよい。例えば、該筒体８をステンレス材とし、該筒体８の内面に弗素樹脂等をコーティングする等である。
【００４０】
次に、前記昇降駆動装置９について説明する。
【００４１】
前記ベース板３にブラケット３６を介してモータ３７、例えばチューブモータがモータ軸３８を介して取付けられる。該モータ軸３８は前記ブラケット３６に固着され、前記モータ３７のケーシング３９が回転する様になっており、該ケーシング３９の両端に巻胴４０，４１が取付けられる。
【００４２】
前記モータ３７の回転軸と平行な前記枠材２６，２６の各両端部にそれぞれ昇降側ガイドプーリ４２ａ，４２ｂが設けられる。該昇降側ガイドプーリ４２ａ，４２ｂは前記モータ３７の回転軸芯と直交する方向の回転軸を有し、前記モータ３７の回転軸芯と平行な取付け軸４３を介して前記枠材２６に揺動自在に取付けられている。前記昇降側ガイドプーリ４２ａ、前記昇降側ガイドプーリ４２ｂの位置は、後述するロープ１１ａ，１１ｂが干渉しない様に、前記モータ３７より離反する昇降側ガイドプーリ４２が幅広に設けられている。
【００４３】
前記昇降側ガイドプーリ４２ａ、前記昇降側ガイドプーリ４２ｂにそれぞれに対向する様に、固定側ガイドプーリ４４ａ、固定側ガイドプーリ４４ｂが前記ベース板３にプーリ支持体４５を介して取付けられ、前記固定側ガイドプーリ４４ａ、前記固定側ガイドプーリ４４ｂの回転軸は前記モータ３７の回転軸芯と平行となっている。前記昇降側ガイドプーリ４２ａと前記固定側ガイドプーリ４４ａ及び前記昇降側ガイドプーリ４２ｂと前記固定側ガイドプーリ４４ｂとの関係はそれぞれ共通な接線を有し、回転方向が９０°異なる関係となっている。前記プーリ支持体４５にはロープ外れ止め５４が取付けられている。該ロープ外れ止め５４は前記固定側ガイドプーリ４４ａ，４４ｂの外周に略隙間なく対向する曲面を持っており、前記ロープ１１が前記固定側ガイドプーリ４４ａ，４４ｂの溝から浮上り外れるのを防止している。尚、ロープ外れ止め５４は前記固定側ガイドプーリ４４ａ，４４ｂの外周に近接して設けられたローラ、ピンであってもよい。
【００４４】
前記巻胴４０に巻かれたロープ１１ａは前記固定側ガイドプーリ４４ａに掛回されて垂下し、前記昇降側ガイドプーリ４２ａに掛回されて水平方向に屈曲され、途中にターンバックル４６を介在してもう１つの昇降側ガイドプーリ４２ａに掛回され、垂直に立上がり更にもう１つの固定側ガイドプーリ４４ａに掛回され、再び水平方向に屈曲され、前記巻胴４１に巻取られる。
【００４５】
前記巻胴４０に巻かれたもう１つのロープ１１ｂは手前の前記固定側ガイドプーリ４４ｂに掛回されて垂下し、前記昇降側ガイドプーリ４２ｂに掛回されて水平方向に屈曲され、途中にターンバックル４７を介在してもう１つの昇降側ガイドプーリ４２ｂに掛回され、垂直に立上がり更にもう１つの固定側ガイドプーリ４４ｂに掛回され、再び水平方向に屈曲され、前記巻胴４１に巻取られる。又前記ターンバックル４６，４７でロープ長さを調整した後、振れ止め金具５７，５８を取付けて、前記フード１２が傾かない様にすることが好ましい。前記振れ止め金具５７，５８の取付け方は、筒状の金属片をカシメ止めする等が考えられる。尚、前記ロープ１１ａと前記ロープ１１ｂとは巻取時に重ならない様に、前記巻胴４０、前記巻胴４１での巻取位置が離れている。
【００４６】
而して、前記モータ３７により前記下段筒体６ｄの４箇所が同速度、同距離だけ昇降する。又、前記ロープ１１ａ、前記ロープ１１ｂの長さ調整は前記ターンバックル４６、前記ターンバックル４７によって個別に行う。前記ロープ１１ａ，１１ｂの長さ調整が完了すると、前記ロープ１１ａ，１１ｂそれぞれに駒（図示せず）を着脱可能に取付け、該駒により昇降側ガイドプーリ４２ａ、昇降側ガイドプーリ４２ｂと前記ロープ１１ａ，１１ｂとの位置関係にずれを生じない様にする。該ロープ１１ａ，１１ｂに駒を固着することで、前記枠材２６はロープが４箇所に係着されたと同等の構造となる。
【００４７】
尚、前記ターンバックル４６、前記ターンバックル４７を省略し、前記巻胴４０、前記巻胴４１からそれぞれ繰出された前記ロープ１１ａ、前記ロープ１１ｂを直接前記枠材２６に４箇所で係着してもよい。この場合、ロープ１１の係着部でロープの長さを所要の手段で調整可能としておく。
【００４８】
前記モータ３７の駆動、即ちレンジフード昇降、前記排煙ブロア１５の駆動、即ち排煙は、壁等に設けられたスイッチボックスから操作され、前記モータ３７、前記排煙ブロア１５の単独での駆動、或は前記モータ３７と前記排煙ブロア１５の同期駆動、或は排煙速度の選択等種々の態様の駆動が選択できる様になっている。
【００４９】
以下、図５、図６を参照してレンジフードの作動について説明する。
【００５０】
図５は前記昇降装置カバー５、前記昇降ダクト７の降下状態を示しており、図５の状態で調理が行われる。前記排煙ブロア１５が駆動されると、前記フード１２より捕集された煙等は、前記昇降ダクト７を上昇して前記排煙チャンバ１３を経て前記排煙孔１６より排気される。前記フード１２をレンジに接近した位置とすることで、煙等を効果的に捕集することができる。
【００５１】
図５で示す降下状態から、前記昇降装置カバー５、前記昇降ダクト７を収納する。尚、前記排煙ブロア１５の駆動については、発煙の状況に応じて適宜駆動することとして以下では説明を省略する。
【００５２】
前記モータ３７を駆動して前記ロープ１１ａ、前記ロープ１１ｂを巻取る。
【００５３】
該ロープ１１ａ，１１ｂが巻取られて、前記下段筒体６ｄ、前記フード１２、前記下段筒体８ｄが一体に上昇する。前記下段筒体６ｄが前記中間筒体６ｃに対して上昇して前記上端縁部２７が前記中間筒体６ｃの前記ストッパ部材４８に前記緩衝部材４９を介して当接し、その後は前記下段筒体６ｄが前記中間筒体６ｃを押上げる。該中間筒体６ｃが前記中間筒体６ｂに対し上昇し、やがて前記中間筒体６ｃの前記上端縁部２７が、前記中間筒体６ｂの前記ストッパ部材４８に前記緩衝部材４９を介して当接し、前記中間筒体６ｂが前記中間筒体６ｃに押上げられる。而して、順次下段の筒体６が上段の筒体６を押上げて、順次短縮していく。
【００５４】
前記昇降ダクト７については、前記フード１２が上昇することで、前記中間筒体８ｃ，８ｂの下端が順次、前記フード１２に当接し、当接した後は該フード１２によって押上げられる。該フード１２が上昇する過程で、前記下段筒体８ｄが前記中間筒体８ｃに対して上昇し、又該中間筒体８ｃが前記中間筒体８ｂに対して上昇し、該中間筒体８ｂが前記上段筒体８ａに対して上昇する。
【００５５】
尚、前記中間筒体８ｂ、前記中間筒体８ｃの内側上端部に筒体６のストッパ部材４８に相当するストッパ部材をボルト等の固着具で着脱可能に設け、下段の筒体８の上フランジ部３４が前記ストッパ部材に突き当ることで、下段の筒体８によって上段の筒体８が押上げられる様にしてもよい。
【００５６】
上段の筒体８と下端の筒体８とは摺接部材３５を介して摺動し、上段の筒体８と下端の筒体８間は前記摺接部材３５によって略気密状態が維持され、前記昇降装置カバー５と前記昇降ダクト７間の空間５３は前記昇降ダクト７の内部（通煙路）に対して隔離された状態となっている。従って、煙が前記空間５３に回込むことはなく、前記筒体６の内部、ガイドプーリ４２等が煙で汚れることがない。
【００５７】
又、昇降装置カバー５の上昇過程で、下段の筒体６は上段の筒体６に前記ガイドローラ２８を介してガタ付かない様にガイドされているので、上昇動作は円滑に又騒音なく行われる。
【００５８】
収納の最終状態では、前記フード１２が前記収納凹部１７内に収納される。勿論、収納状態でも前記排煙ブロア１５を駆動して排煙、換気を行い得る。
【００５９】
次に、レンジフードを降下させる場合を説明する。
【００６０】
前記モータ３７を駆動して前記巻胴４０，４１を回転させ、前記ロープ１１ａ，１１ｂを繰出すと、前記フード１２、前記下段筒体６ｄ、前記下段筒体８ｄが一体に自重で降下し、上段の中間筒体６ｃ及び中間筒体８ｃは支持しているものが降下するのでやはり、自重で或は下段の筒体に引張られて降下していく。而して、前記昇降装置カバー５、前記昇降ダクト７が下降していく。
【００６１】
前記昇降装置カバー５が最大に降下した状態では、前記下端縁部２４に前記上端縁部２７が当接するが、前記下緩衝材２５が介在するので、騒音の発生が防止され、又前記下端縁部２４、前記上端縁部２７の係合がストッパとなり、上段の筒体６に対する下段の筒体６の降下が停止される。
【００６２】
前記昇降ダクト７も同様であり、上段の筒体８の上フランジ部３４が前記摺接部材３５、前記下緩衝材３２を介して下段の筒体８の前記下端縁部３１に当接することで上段の筒体８に対する下段の筒体８の降下が停止される。尚、前記下段筒体８ｄについては前記フード１２に固定されているので、該フード１２が前記下段筒体６ｄにより位置決めされることで、同時に前記下段筒体８ｄも位置決めされる。
【００６３】
次に、昇降ダクト７の清浄を行う場合について説明する。
【００６４】
レンジフードを降下状態（図５の状態）とし前記固着手段５１、前記固着手段５２を除去し、前記フード１２を取外す。該フード１２を取外すと前記ターンバックル４６，４７が露出するので、ロープが延びる等して前記フード１２が傾斜した場合に調整を行うことができる。
【００６５】
この状態では、前記昇降装置カバー５、前記昇降ダクト７は独立して短縮可能となる。前記モータ３７を駆動して前記昇降装置カバー５を上昇（短縮）させる。該昇降装置カバー５が最大に短縮した状態では、前記固着手段３０が除去可能となる。
【００６６】
該固着手段３０を除去し、前記昇降ダクト７を前記排煙チャンバ１３から取外す。上段の筒体８から下段の筒体８を順次抜取る。例えば、中間筒体８ｃから下段筒体８ｄを上方に抜取り、次に中間筒体８ｂから中間筒体８ｃを上方に抜取る等である。筒体８を個々に分解できるので、清浄作業は容易となる。
【００６７】
前記昇降ダクト７の清浄作業が完了すると、前記筒体８を順次嵌込み、前記昇降ダクト７を組立て、更に該昇降ダクト７を前記固着手段３０により前記排煙チャンバ１３に組立て、前記昇降装置カバー５を降下させ、前記フード１２を固着手段５１、前記固着手段５２で前記昇降装置カバー５の下端、前記昇降ダクト７の下端に取付ける。
【００６８】
尚、上記実施の形態ではチューブモータを使用したが、例えば図４に於ける前記ブラケット３６に回転軸を回転自在に設け、該回転軸に巻胴４０，４１を固着し、前記回転軸をチェーン、ギア列等を介して一般的なモータで駆動する様にしても同様の作用、効果が得られる。
【００６９】
又、前記ロープ１１ａ，１１ｂは前記下段筒体８ｄの下部に係着されても或は前記フード１２に係着されてもよい。
【００７０】
又、前記ロープ１１ａ，１１ｂは２つの前記巻胴４０，４１に巻取られる様にしたが、一体に回転する胴巻であればよく、４つの胴巻であっても、或は１つの胴巻としてもよい。
【００７１】
又、前記昇降装置カバー５、前記昇降ダクト７は４段の筒体で構成したが、３段以下、５段以上の筒体で構成してもよい。
【００７２】
更に又、前記ターンバックル４６，４７の代りに図７で示す様なワイヤクリップ５５等のロープ長さを調整する部品を用いてもよい。
【図面の簡単な説明】
【００７３】
【図１】本発明の実施の形態の全体を示す側面図である。
【図２】図１のＡ−Ａ矢視図である。
【図３】本発明の実施の形態を示す要部立断面図である。
【図４】本発明の実施の形態を示す要部平面図である。
【図５】本発明の実施の形態の作動を示し、降下状態の説明図である。
【図６】本発明の実施の形態の作動を示し、収納状態の説明図である。
【図７】ロープ長さを調整する部品であるワイヤクリップの説明図である。
【図８】従来例の説明図である。
【符号の説明】
【００７４】
５              昇降装置カバー
６              筒体
７              昇降ダクト
８              筒体
９              昇降駆動装置
１１            ロープ
１２            フード
１５            排煙ブロア
１７            収納凹部
２０            排煙装置
２５            下緩衝材
２８            ガイドローラ
３２            下緩衝材
３５            摺接部材
３７            モータ
３９            ケーシング
４０，４１      巻胴
４２            昇降側ガイドプーリ
４４            固定側ガイドプーリ
４６，４７      ターンバックル
【図１】
2005055126.tif 000003
【図２】
2005055126.tif 000004
【図３】
2005055126.tif 000005
【図４】
2005055126.tif 000006
【図５】
2005055126.tif 000007
【図６】
2005055126.tif 000008
【図７】
2005055126.tif 000009
【図８】
2005055126.tif 000010